(57)【特許請求の範囲】
【請求項１】
振込通知片と店舗控え片と利用者控え片とが、この順で連接部を介して切り離し可能に連接して構成され、前記連接部のうち前記振込通知片と前記店舗控え片とを連接している連接部を介して二つ折りに折り畳まれた状態で利用者に送付され、振り込み料金が支払われた後、前記振込通知片と前記店舗控え片と前記利用者控え片とが前記連接部にて切り離され、前記振込通知片が、前記振り込み料金が振り込まれるサービスの提供元に送付され、前記店舗控え片が、前記振り込み料金が支払われた店舗にて保管され、前記利用者控え片が利用者に渡される振込用紙において、
折り畳み状態内側となる面に振込情報が記載され、
前記利用者控え片の折り畳み状態外側となる面に利用者の宛先情報が記載され、
前記店舗控え片の折り畳み状態外側となる面に前記振込用紙の送付元情報が記載されていることを特徴とする振込用紙。
【発明の詳細な説明】
【技術分野】
【０００１】
本発明は、公共料金等を振り込むための振込用紙に関し、特に、宛名情報が記載された振込用紙における宛名情報の漏洩防止技術に関する。
【背景技術】
【０００２】
従来より、電気、ガス、水道、電話等の公共料金は、振込用紙を用いた清算が行われている。電気会社やガス会社、水道局、電話会社等においては、利用者が利用した分の料金とその料金を振り込む振込先が記載された振込用紙を利用者に送付し、利用者は、この振込用紙を用いて公共料金を振り込むことになっている。
【０００３】
この振込用紙を用いた公共料金の振り込みは、銀行や郵便局等の金融機関の他に、近年ではコンビニエンスストアでも受け付けられており、利用者の利便性が高まっている。このように、振込用紙が郵送によって送付されてきて、その後、コンビニエンスストアにて公共料金を振り込むというだけで、電気、ガス、水道、電話等の公共料金を支払うことができるため、手続きが必要となる口座振替を利用しない消費者も多い。
【０００４】
図５は、一般的な振込用紙の一構成例を示す図であり、（ａ）折り畳み状態内側の面を示す図、（ｂ）は折り畳み状態外側の面を示す図である。
【０００５】
本従来例は図５に示すように、振込依頼書５１０と振込票５２０と受領書５３０と付属片５４０とがミシン目５５０ａ〜５５０ｃを介して切り離し可能に連接して構成されており、振込依頼書５１０の一方の面に利用者の住所や氏名等の宛先情報５１１が記載されている（例えば、特許文献１参照。）。
【０００６】
このように構成された振込用紙５００は、振込依頼書５１０と振込票５２０とを連接するミシン目５５０ａを介して宛先情報５１１が記載された面が外側となるように折り畳まれ、宛先情報５１１に従って利用者に送付される。利用者は、折り畳まれた振込用紙５００を見開き、振込依頼書５１０に記載された料金とこの振込用紙５００を、指定された金融機関やコンビニエンスストア等の店舗に持参し、振込用紙５００を提出するとともに料金を支払う。店舗では、料金の支払いが行われると、振込依頼書５１０と振込票５２０と受領書５３０のそれぞれに領収印が押下され、受領書５３０及び付属片５４０がミシン目５００ｃを介して切り離され、利用者に渡される。
【０００７】
その後、公共料金の支払いを受け付けた店舗においては、振込依頼書５１０と振込票５２０とをミシン目５５０ａを介して切り離し、振込票５２０を保管するとともに、振込依頼書５１０を、電気、ガス、水道、電話等を提供する団体組織に送付することになる。
【特許文献１】特開２０００−１６８２７１号公報
【発明の開示】
【発明が解決しようとする課題】
【０００８】
上述したような振込用紙においては、振込依頼書が、電気、ガス、水道、電話等を提供する団体組織に送付されることになるが、この振込依頼書には、振込依頼書を利用者に送付するために利用者の住所や氏名等の宛先情報が記載されているため、管理形態によっては、利用者の住所や氏名等の宛先情報が漏洩してしまう虞れがある。
【０００９】
本発明は、上述したような従来の技術が有する問題点に鑑みてなされたものであって、利用者の宛先情報が記載された振込用紙において、振込用紙を用いて料金の支払いが行われた後に宛先情報が漏洩してしまうことを防止することができる振込用紙を提供することを目的とする。
【課題を解決するための手段】
【００１０】
上記目的を達成するために本発明は、
振込通知片と店舗控え片と利用者控え片とが、この順で連接部を介して切り離し可能に連接して構成され、前記連接部のうち前記振込通知片と前記店舗控え片とを連接している連接部を介して二つ折りに折り畳まれた状態で利用者に送付され、振り込み料金が支払われた後、前記振込通知片と前記店舗控え片と前記利用者控え片とが前記連接部にて切り離され、前記振込通知片が、前記振り込み料金が振り込まれるサービスの提供元に送付され、前記店舗控え片が、前記振り込み料金が支払われた店舗にて保管され、前記利用者控え片が利用者に渡される振込用紙において、
折り畳み状態内側となる面に振込情報が記載され、
前記利用者控え片の折り畳み状態外側となる面に利用者の宛先情報が記載され、
前記店舗控え片の折り畳み状態外側となる面に前記振込用紙の送付元情報が記載されていることを特徴とする。
【００１１】
上記のように構成された本発明においては、複数の控え片が連接して連接部のうちの１つを介して二つ折りに折り畳まれた状態で、折り畳み状態外側となる面に記載された利用者の宛先情報に従って利用者に送付される。振込用紙が二つ折りにされた状態で利用者に届けられると、振込用紙が見開かれ、振込用紙の折り畳み状態内側に記載された振込情報に従って料金が支払われる。そして、料金が支払われると、振込用紙は連接部を介して控え片毎に切り離され、切り離された複数の控え片のうち利用者控え片が利用者に渡される。この振込用紙には、利用者に送付するために利用者の宛先情報が記載されているが、その宛先情報は、料金の支払い後に利用者に渡される利用者控え片に記載されているので、振込用紙を用いて料金の支払いが行われた後に宛先情報が漏洩してしまうことが防止される。
【発明の効果】
【００１２】
以上説明したように本発明においては、料金の支払い後に利用者に渡される利用者控え片に利用者の宛先情報が記載されている構成としたため、振込用紙を用いて料金の支払いが行われた後に宛先情報が漏洩してしまうことを防止することができる。
【発明を実施するための最良の形態】
【００１３】
以下に、本発明の実施の形態について図面を参照して説明する。
【００１４】
（第１の実施の形態）
図１は、本発明の振込用紙の第１の実施の形態を示す図であり、（ａ）は折り畳み状態内側となる面の構成を示す図、（ｂ）は折り畳み状態外側となる面の構成を示す図である。
【００１５】
本形態は図１に示すように、振込通知片１１０、店舗控え片１２０、お客様控え片１３０及び付属片１４０がそれぞれ連接部となるミシン目１５０ａ〜１５０ｃを介して切り離し可能に連接して構成されている。
【００１６】
振込通知片１１０は、この振込用紙１００を用いて公共料金が振り込まれる公共サービス（電気、ガス、水道、電話等）の提供元にて保管される控え片である。振込用紙１００がミシン目１５０ａを介して折り畳まれた場合に折り畳み状態内側となる面には、お客様番号や検針日、使用日数、使用量及びその料金等からなる振込情報１１１が記載されているとともに、この振込用紙１００を用いて公共料金が支払われた場合に領収印が押下される押印領域１１２が設けられ、さらに、この振込用紙１００を識別可能な識別情報がバーコード情報１１３として記載されている。また、振込用紙１００がミシン目１５０ａを介して折り畳まれた場合に折り畳み状態外側となる面には、この振込用紙１００を用いて料金の支払いが可能な銀行等の金融機関やコンビニエンスストア等の店舗名を示す振込案内情報１１４が記載されている。
【００１７】
店舗控え片１２０は、この振込用紙１００を用いて公共料金の振り込み処理を行った銀行等の金融機関や、振り込み処理を受け付けたコンビニエンスストア等の店舗にて保管される控え片である。振込用紙１００がミシン目１５０ａを介して折り畳まれた場合に折り畳み状態内側となる面には、お客様番号や料金等からなる振込情報１２１が記載されているとともに、この振込用紙１００を用いて公共料金が支払われた場合に領収印が押下される押印領域１２２が設けられている。また、振込用紙１００がミシン目１５０ａを介して折り畳まれた場合に折り畳み状態外側となる面には、この振込用紙１００の送付元の住所や名称からなる送付元情報１２３が記載されている。
【００１８】
お客様控え片１３０は、この振込用紙１００を用いて公共料金が支払われた後に、公共料金を支払った利用者に渡される控え片である。振込用紙１００がミシン目１５０ａを介して折り畳まれた場合に折り畳み状態内側となる面には、お客様番号や料金等からなる振込情報１３１が記載されているとともに、この振込用紙１００を用いて公共料金が支払われた場合に領収印が押下される押印領域１３２が設けられている。
【００１９】
付属片１４０は、この振込用紙１００を用いて公共料金が支払われた後に、公共料金を支払った利用者にお客様控え片１３０とともに渡され、お客様控え片１３０と併せて利用者控え片となるものであり、お客様控え片１３０に隣接しない角部の１つに切り欠き１４１が設けられている。
【００２０】
お客様控え片１３０と付属片１４０においては、振込用紙１００がミシン目１５０ａを介して折り畳まれた場合に折り畳み状態外側となる面に、この振込用紙１００を用いて公共料金が振り込まれる公共サービスの利用者に振込用紙１００を送付するために利用者の住所や氏名等の宛先情報１３３が記載されている。
【００２１】
以下に、上記のように構成された振込用紙１００の使用方法について説明する。
【００２２】
図２は、図１に示した振込用紙１００の使用方法を説明するための図であり、（ａ）は送付状態を示す図、（ｂ）は（ａ）に示したＡ−Ａ’断面図、（ｃ）は見開いた状態を示す図、（ｄ）はミシン目１５０ａ〜１５０ｃを介して切り離した状態を示す図、（ｅ）は切り離したお客様控え片１３０及び付属片１４０の裏面の構成を示す図である。
【００２３】
図１に示した振込用紙１００は図２（ａ），（ｂ）に示すように、振込情報１１１，１２１，１３１が記載された面が内側となるようにはがき用紙１０１がミシン目１５０ａを介して二つ折りされ、ミシン目１５０ａを介して連接する振込通知片１１０と、店舗控え片１２０、お客様控え片１３０及び付属片１４０とが感圧のり１０２によって剥離可能に貼着されて利用者に送付される。この際、振込情報１１１，１２１，１３１が記載された面が内側となるようにはがき用紙１０１が折り畳まれて貼着されるため、振込通知片１１０、店舗控え片１２０及びお客様控え片１３０にそれぞれ記載された振込情報１１１，１２１，１３１が外部から視認不可能となり、隠蔽された状態で利用者に送付されることになる。また、振込通知片１１０のこれら複数の控え片の連接方向の長さが、店舗控え片１２０、お客様控え片１３０及び付属片１４０の連接方向の長さよりも長くなっているため、振込通知片１１０の店舗控え片１２０との連接部分とは反対側の端部に記載された「郵便はがき」という文字が表出する。
【００２４】
二つ折りされ、振込通知片１１０と、店舗控え片１２０、お客様控え片１３０及び付属片１４０とが感圧のり１０２によって剥離可能に貼着された振込用紙１００は、お客様控え片１３０及び付属片１４０に記載された宛先情報１３３に従って利用者に送付される。
【００２５】
このように振込用紙１００が二つ折りにされた状態で利用者に届けられると、感圧のり１０２によって剥離可能に貼着された、振込通知片１１０と、店舗控え片１２０、お客様控え片１３０及び付属片１４０とが剥離されて振込用紙１００が見開かれる。この際、付属片１４０のお客様控え片１３０に隣接しない角部の１つに切り欠き１４１が設けられているため、この切り欠き１４１を摘み代として付属片１４０を摘んでこれら控え片を剥離することができる。
【００２６】
振込通知片１１０と、店舗控え片１２０、お客様控え片１３０及び付属片１４０とが剥離されると、図２（ｃ）に示すように、振込通知片１１０に記載された振込情報１１１が視認可能となる。利用者は、この振込情報１１１を参照して支払うべき金額を確認し、振込案内情報１１４によって指定される銀行等の金融機関やコンビニエンスストア等の店舗に出向き、この振込用紙１００を提出するとともに、振込情報１１１として記載された公共料金を支払う。
【００２７】
金融機関やコンビニエンスストア等の店舗においては、振込通知片１１０に記載されたバーコード情報１１３がバーコードリーダで読み取られ、それにより、振込用紙１００が識別される。そして、その振込用紙１００による公共料金が支払われたことが管理されるとともに、振込通知片１１０、店舗控え片１２０及びお客様控え片１３０にそれぞれ設けられた押印領域１１２，１２２，１３２に領収印が押下される。
【００２８】
その後、図２（ｄ）に示すように、振込通知片１１０と店舗控え片１２０とがミシン目１５０ａを介して切り離され、また、店舗控え片１２０とお客様控え片１３０とがミシン目１５０ｂを介して切り離される。
【００２９】
このように切り離された振込通知片１１０、店舗控え片１２０、お客様控え片１３０及び付属片１４０のうち、振込通知片１１０は、この振込用紙１００を用いて公共料金が振り込まれた公共サービスの提供元に送付されて保管され、また、店舗控え片１２０は、この振込用紙１００を用いて公共料金の振り込み処理を行った銀行等の金融機関や、公共料金の振り込み処理を受け付けたコンビニエンスストア等の店舗にて保管される。
【００３０】
また、お客様控え片１３０及び付属片１４０は、公共料金を支払った利用者に渡され、利用者が保管することになる。ここで、利用者に渡されたお客様控え片１３０及び付属片１４０においては、図２（ｅ）に示すように、その裏面に利用者の住所や氏名等の宛先情報１３３が記載されている。すなわち、この振込用紙１００においては、振込用紙１００を利用者に送付するための宛先情報１３３が、利用者が公共料金を支払った後に利用者に渡されるお客様控え片１３０及び付属片１４０に記載されているため、この振込用紙１００を用いて公共料金の支払いが行われた後に宛先情報が漏洩してしまうことが防止されることになる。
【００３１】
（第２の実施の形態）
図３は、本発明の振込用紙の第２の実施の形態を示す図であり、（ａ）は折り畳み状態内側となる面の構成を示す図、（ｂ）は折り畳み状態外側となる面の構成を示す図である。
【００３２】
本形態は図３に示すように、振込通知片２１０、振込用紙片２２０及び利用者控え片であるお客様控え片２３０がそれぞれ連接部となるミシン目２５０ａ，２５０ｂを介して切り離し可能に連接して構成されている。
【００３３】
振込通知片２１０は、この振込用紙２００を用いた公共料金の振り込みがコンビニエンスストア等の店舗を介して行われた場合に、その振り込み処理を受け付けたコンビニエンスストア等の店舗にて保管される控え片である。振込用紙２００がミシン目２５０ａを介して折り畳まれた場合にその折り畳み状態内側となる面には、利用者の氏名や振込金額等の振込情報２１１が記載されているとともに、この振込用紙２００を用いて公共料金が支払われた場合に領収印が押下される押印領域２１２が設けられている。また、振込用紙２００がミシン目２５０ａを介して折り畳まれた場合に折り畳み状態外側となる面には、この振込用紙２００を用いて料金の支払いが可能な銀行等の金融機関やコンビニエンスストア等の店舗名を示す振込案内情報２１４が記載されている。
【００３４】
振込用紙片２２０は、この振込用紙２００を用いた公共料金の振り込み処理を行った銀行等の金融機関にて保管される控え片である。振込用紙２００がミシン目２５０ａを介して折り畳まれた場合に折り畳み状態内側となる面には、振込金額や振込先、受取人、振り込みの依頼人等の振込情報が記載された振込情報記載欄２２１が設けられるとともに、この振込用紙２００を用いて公共料金が支払われた場合に領収印が押下される押印領域２２２が設けられている。また、振込用紙２００がミシン目２５０ａを介して折り畳まれた場合に折り畳み状態外側となる面には、この振込用紙２１００の送付元の住所や名称からなる送付元情報２２３が記載されている。また、振込通知片２１０及びお客様控え片２３０に隣接しない角部に切り欠き２４１が設けられている。
【００３５】
お客様控え片２３０は、この振込用紙２００を用いて公共料金の振り込みが行われた後に、公共料金を支払った利用者に渡される控え片である。振込用紙２００がミシン目２５０ａを介して折り畳まれた場合に折り畳み状態内側となる面には、請求金額や支払い期限等からなる振込情報２３１が記載されているとともに、この振込用紙２００を用いて公共料金が支払われた場合に領収印が押下される押印領域２３２が設けられている。また、振込用紙２００がミシン目２５０ａを介して折り畳まれた場合に折り畳み状態外側となる面には、この振込用紙２００を用いて公共料金が振り込まれる公共サービスの利用者に振込用紙２００を送付するために利用者の住所や氏名等の宛先情報２３３が記載されている。
【００３６】
以下に、上記のように構成された振込用紙２００の使用方法について説明する。
【００３７】
図４は、図３に示した振込用紙２００の使用方法を説明するための図であり、（ａ）は送付状態を示す図、（ｂ）は（ａ）に示したＡ−Ａ’断面図、（ｃ）は見開いた状態を示す図、（ｄ）はミシン目２５０ａ，２５０ｂを介して切り離した状態を示す図、（ｅ）は切り離したお客様控え片２３０の裏面の構成を示す図である。
【００３８】
図３に示した振込用紙２００は図４（ａ），（ｂ）に示すように、振込情報２１１，２３１が記載された面及び振込情報記載欄２２１が設けられた面が内側となるようにはがき用紙２０１がミシン目２５０ａを介して二つ折りされ、ミシン目２５０ａを介して連接する振込通知片２１０と、振込用紙片２２０及びお客様控え片２３０とが感圧のり２０２によって剥離可能に貼着されて利用者に送付される。この際、振込情報２１１，２３１が記載された面及び振込情報記載欄２２１が設けられた面が内側となるようにはがき用紙２０１が折り畳まれて貼着されるため、振込通知片２１０及びお客様控え片２３０にそれぞれ記載された振込情報２１１，２３１、及び振込用紙片２２０の振込情報記載欄２２１に記載された振込情報が外部から視認不可能となり、隠蔽された状態で利用者に送付されることになる。
【００３９】
二つ折りされ、振込通知片２１０と、振込用紙片２２０及びお客様控え片２３０とが感圧のり２０２によって剥離可能に貼着された振込用紙２００は、お客様控え片２３０に記載された宛先情報２３３に従って利用者に送付される。
【００４０】
このように振込用紙２００が二つ折りにされた状態で利用者に届けられると、感圧のり２０２によって剥離可能に貼着された、振込通知片２１０と、振込用紙片２２０及びお客様控え片２３０とが剥離されて振込用紙２００が見開かれる。この際、振込用紙片２２０の振込通知片２１０及びお客様控え片２３０に隣接しない角部に切り欠き２４１が設けられているため、この切り欠き２４１を摘み代として振込用紙片２２０を摘んでこれら控え片を剥離することができる。
【００４１】
振込通知片２１０と、振込用紙片２２０及びお客様控え片２３０とが剥離されると、図４（ｃ）に示すように、振込通知片２１０及びお客様控え片２３０にそれぞれ記載された振込情報２１１，２３１が視認可能となる。利用者は、この振込情報２１１，２３１を参照して支払うべき金額を確認し、振込案内情報２１４によって指定される銀行等の金融機関やコンビニエンスストア等の店舗に出向き、この振込用紙２００を提出するとともに、振込情報２１１，２３１として記載された公共料金を支払う。
【００４２】
利用者がコンビニエンスストア等の店舗にて公共料金を支払う場合は、コンビニエンスストア等の店舗において、振込情報２１１，２３１による公共料金が支払われると、振込通知片２１０、振込用紙片２２０及びお客様控え片２３０にそれぞれ設けられた押印領域２１２，２２２，２３２に領収印が押下される。
【００４３】
その後、図４（ｄ）に示すように、振込通知片２１０と振込用紙片２２０とお客様控え片２３０とがミシン目２５０ａ，２５０ｂを介して切り離される。
【００４４】
このように切り離された振込通知片２１０、振込用紙片２２０及びお客様控え片２３０のうち、振込通知片２１０は、この振込用紙２００を用いて公共料金の振り込みを受け付けたコンビニエンスストア等の店舗にて保管され、また、振込用紙片２２０は、この振込用紙２００を用いて公共料金の振り込み処理を行う金融機関に送付され、保管される。
【００４５】
また、お客様控え片２３０は、公共料金を支払った利用者に渡され、利用者が保管することになる。ここで、利用者に渡されたお客様控え片２３０においては、図４（ｅ）に示すように、その裏面に利用者の住所や氏名等の宛先情報２３３が記載されている。すなわち、この振込用紙２００においては、振込用紙２００を利用者に送付するための宛先情報２３３が、利用者が公共料金を支払った後に利用者に渡されるお客様控え片２３０に記載されているため、この振込用紙２００を用いて公共料金の支払いが行われた後に宛先情報が漏洩してしまうことが防止されることになる。
【００４６】
また、利用者が銀行等の金融機関にて公共料金を支払う場合は、金融機関において、振込情報２１１，２３１による公共料金が支払われると、振込通知片２１０、振込用紙片２２０及びお客様控え片２３０にそれぞれ設けられた押印領域２１２，２２２，２３２に領収印が押下され、ミシン目２５０ａ，２５０ｂを介して振込用紙片２２０のみが切り離され、振込用紙片２２０は金融機関にて保管され、振込通知片２１０及びお客様控え片２３０は、公共料金を支払った利用者に渡され、利用者が保管することになる。
【図面の簡単な説明】
【００４７】
【図１】本発明の振込用紙の第１の実施の形態を示す図であり、（ａ）は折り畳み状態内側となる面の構成を示す図、（ｂ）は折り畳み状態外側となる面の構成を示す図である。
【図２】図１に示した振込用紙の使用方法を説明するための図であり、（ａ）は送付状態を示す図、（ｂ）は（ａ）に示したＡ−Ａ’断面図、（ｃ）は見開いた状態を示す図、（ｄ）はミシン目を介して切り離した状態を示す図、（ｅ）は切り離した利用者控え片及び付属片の裏面の構成を示す図である。
【図３】本発明の振込用紙の第２の実施の形態を示す図であり、（ａ）は折り畳み状態内側となる面の構成を示す図、（ｂ）は折り畳み状態外側となる面の構成を示す図である。
【図４】図３に示した振込用紙の使用方法を説明するための図であり、（ａ）は送付状態を示す図、（ｂ）は（ａ）に示したＡ−Ａ’断面図、（ｃ）は見開いた状態を示す図、（ｄ）はミシン目を介して切り離した状態を示す図、（ｅ）は切り離した利用者控え片の裏面の構成を示す図である。
【図５】一般的な振込用紙の一構成例を示す図であり、（ａ）折り畳み状態内側の面を示す図、（ｂ）は折り畳み状態外側の面を示す図である。
【符号の説明】
【００４８】
１００，２００    振込用紙
１０１，２０１    はがき用紙
１０２，２０２    感圧のり
１１０，２１０    振込通知片
１１１，１２１，１３１，２１１，２３１    振込情報
１１２，１２２，１３２，２１２，２２２，２３２    押印領域
１１３    バーコード情報
１１４，２１４    振込案内情報
１２０    店舗控え片
１２３，２２３    送付元情報
１３０，２３０    お客様控え片
１３３，２３３    宛先情報
１４０    付属片
１４１    切り欠き
１５０ａ〜１５０ｃ，２５０ａ，２５０ｂ    ミシン目
２２０    振込用紙片
２２１    振込情報記載欄
【図１】
0005060198.tif 000002
【図２】
0005060198.tif 000003
【図３】
0005060198.tif 000004
【図４】
0005060198.tif 000005
【図５】
0005060198.tif 000006